【事件の表示】
　特願２００１−１３５４１７「文書出力装置および方法」拒絶査定不服審判事件〔平成１３年１０月　５日出願公開、特開２００１−２７３２２８〕について、次のとおり審決する。
【結　論】
　本件審判の請求は、成り立たない。
【理　由】
１．手続の経緯
　本願は、平成１３年５月２日の出願であって、平成１６年１１月１０日付けで拒絶査定がなされ、これに対し、平成１６年１２月１６日に拒絶査定に対する審判請求がなされ、当審において平成１７年５月２７日付けで拒絶理由通知がなされ、平成１７年７月２８日付けで手続補正がなされたものである。
　
２．本願発明
　本願の請求項１に係る発明（以下、「本願発明」という。）は、以下のとおりのものである。
「ユーザからの文書出力要求に基づいて動的に生成されることが予想される、マークアップ言語で記述された文書の各々を、文書構成要素に分割して管理し、複数の上記文書構成要素のうちの少なくとも一部の文書構成要素を複数の文書を構成するために共通して使用する文書出力装置であって、
　上記文書構成要素は、文書閲覧機能を有するクライアント装置が当該文書閲覧機能によりそのまま出力可能な、マークアップタグを用いたフォーマットで記述され、しかも表を表現する表開始タグおよび表終了タグにより文書構成要素本体を包み込んで記述したものであり、
　さらに、
　有効期限内の文書構成要素を出力する文書構成要素出力手段と、
　上記文書構成要素出力手段から出力された有効期限内の文書構成要素を更新書込みする半導体メモリ手段と、
　上記クライアント装置からユーザの文書出力要求を受け取る手段と、
　上記文書出力要求と共に送られてくるユーザ属性に基づいて、出力する文書に含まれる文書構成要素の識別子を決定する手段と、
　上記決定された文書構成要素の識別子に基づいて上記半導体メモリ手段から対応する文書構成要素を取りだし文書中に配置する手段と、
　上記文書構成要素が配置された文書を上記クライアント装置に出力する手段とを有することを特徴とする文書出力装置。」
　
３．引用例
　当審で通知した拒絶の理由に引用された特開平１０−２６０８２１号公報（以下、引用例という。）には、図面とともに、
「【０００１】
　　【発明の属する技術分野】
　本発明は、インターネットのＷＷＷを閲覧するためのＷＷＷブラウザソフトウェアを起動したときに初期画面として表示されるスタートページを自動的に生成するシステムに係わり、特にＷＷＷブラウザソフトウェアのユーザが前記スタートページを容易にカスタマイズすることができる、ＷＷＷブラウザ用スタートページの自動生成システムに関する。」（第２頁右欄第４行−第１１行）
「【００２３】
《スタートページ》
　ＷＷＷブラウザを起動させたときに最初に表示されるＨＴＭＬ形式のファイル及びそのファイルによって表示される内容。通常ＷＷＷブラウザの初期設定項目に起動時に表示させたいＨＴＭＬファイルのＵＲＬを格納し記憶させることによって設定する。
【００２４】
《コンテンツ》
　ＷＷＷブラウザで表示される内容（ニュース、天気予報、特定のホームページの内容など）を示す。通常、テキスト、イメージ、サウンドファイルなどを含む。
【００２５】
《コンテンツファイル》
　前記コンテンツを表示するために用いられるデータファイルで、テキスト、イメージ、サウンドファイルなどがある。テキストファイルには１バイト系文字、２バイト系文字（通常用いられるシフトＪＩＳをはじめとする種々のエンコーディング方式による）が、イメージファイルとしてはＧＩＦ、ＢＭＰ、ＪＰＥＧなどのファイル形式が通常用いられる。また、種々の形式のサウンドファイルを含んでもよい。コンテンツファイルは、常に内容がアップデートされた状態に保たれるように、随時更新されることが望ましい。
【００２６】
《スタートページプロフィール》
　スタートページにどのコンテンツファイルをどのように配置して表示するかを書き込んだファイルで、１ユーザについて１つユニークに割り当てられる。表示すべきコンテンツファイルの種類を示すコンテンツ識別子とそれらコンテンツファイルのレイアウト情報とを少なくとも含んでいる。通常コンテンツ識別子は、コンテンツファイルのそれぞれにユニークに付与されたコンテンツ番号で示される。ただし、それぞれのコンテンツファイルをＵＲＬで指定するようにしてもよい。
【００２７】
《コンテンツ提供者》
　本システムＳによって提供されるコンテンツファイルを作成し提供する提供者。例えば、『○山×男のスポーツギア情報』などといったタイトルのコンテンツファイルを所定のテキスト、イメージ、サウンドファイルを用いて作成し、本システムＳに転送、登録する。なお、オフラインで直接システムＳにキーボード等の入力手段を介して書き込み登録してもよい。
【００２８】
《ユーザ情報》
　ユーザ情報は、個々のユーザを特定するためのユーザ識別子とそれらのユーザ識別子に付帯するスタートページプロフィールの組合せを示す。つまり、各ユーザがどういう表示内容のスタートページを登録しているかを示すデータである。
【００２９】
《レイアウト情報》
　スタートページファイルにどのようにコンテンツファイルを配置するかを含め、スタートページ全体の割付情報を与えるデータである。スタートページファイルは通常ＨＴＭＬ形式で記述されるから、一般にレイアウト情報は１セットのＨＴＭＬタグとして与えられる。」（第４頁左欄第１２行−右欄第１１行）
「【００３６】
（４）コンテンツデータベース１４０
　コンテンツファイルを格納しておくための記憶領域で、通常ハードディスクドライブ等の外部記憶装置で構成される。ここに格納されるコンテンツファイルは、コンテンツ提供者から送信されるものだけでなく、後述するシステムサーバ１２０が独自に他のＷＷＷサイトから収集してきたコンテンツファイルなども含まれる。例えば、ニュース、天気予報、株式市況など、他のＷＷＷサイトから取得される一般的なコンテンツファイルもここに格納される。」（第５頁左欄第１４行−第２３行）
「【００５６】
《本システムＳに登録されたスタートページを表示する》
　次に、前記のようにして登録されたスタートページが表示されるときのシステムＳの処理フローを、図５のフローチャートによって説明する。ユーザ側では、使用されるクライアントコンピュータ１５０のＷＷＷブラウザに、スタートページプロフィール登録時にシステムＳから付与されたユーザ固有のＵＲＬが、起動時のアクセス先として設定されている。
【００５７】
　システムＳがユーザからＵＲＬを受信すると（Ｓ５００　Ｙｅｓ）、スタートページ生成プログラムが起動される（Ｓ５１０）。このスタートページ生成プログラムは、システムＳのシステムサーバ１２０上にcgi プログラムとして記述して格納しておいても、スタートページファイルの中にjavaアプレットとして埋め込んでおいてもよい。プログラムが起動されると、まず前記受信したユーザ固有のＵＲＬからユーザ識別子を取得し、該当するスタートページプロフィールをユーザ情報データベース１３０から抽出する（Ｓ５２０）。そして、そのスタートページプロフィールに記録されているコンテンツ識別子、具体的にはそれぞれのコンテンツに固有に付与されたコンテンツ番号に基づいて、コンテンツデータベース１４０から指定のコンテンツファイルを抽出する（Ｓ５３０）。抽出されたコンテンツファイルは、前記スタートページプロフィールに指定されているレイアウト情報にしたがってＨＴＭＬ形式のスタートページファイルとして編集、生成され、ユーザのクライアントコンピュータ１５０へ送信される（Ｓ５４０，Ｓ５５０）。」（第７頁左欄第９行−第３６行）と記載されている。
　
　これらの記載から、引用例には、
「ユーザ固有のＵＲＬに基づいて動的に生成されることが予想される、ＨＴＭＬで記述されたスタートページを、コンテンツファイルに分割して管理し、複数の上記コンテンツファイルのうちの少なくとも一部のコンテンツファイルを複数のスタートページを構成するために共通して使用するスタートページの自動生成システムであって、
　コンテンツファイルを格納する外部記憶装置と、
　クライアント装置からユーザ固有のＵＲＬを受け取る手段と、
　ユーザ識別子とスタートページプロフィールとからなるユーザ情報に基づいて、スタートページに含まれるコンテンツファイルの識別子を決定する手段と、
　上記決定されたコンテンツファイルの識別子に基づいて上記外部記憶装置から対応するコンテンツファイルを取りだしスタートページ中に配置する手段と、
　上記コンテンツファイルが配置されたスタートページを上記クライアント装置に出力する手段とを有することを特徴とするスタートページの自動生成システム。」の発明（以下「引用例発明」という。）が記載されているものと認められる。
　
４．対比
　そこで、本願発明と引用例発明とを比較すると、引用例発明における「ユーザ固有のＵＲＬ」、「ＨＴＭＬ」、「スタートページ」、「コンテンツファイル」及び「ユーザ情報」は、それぞれ本願発明の「ユーザからの文書出力要求」、「マークアップ言語」、「文書」、「文書構成要素」及び「ユーザ属性」に相当する。
　したがって、両者は、
「ユーザからの文書出力要求に基づいて動的に生成されることが予想される、マークアップ言語で記述された文書の各々を、文書構成要素に分割して管理し、複数の上記文書構成要素のうちの少なくとも一部の文書構成要素を複数の文書を構成するために共通して使用する文書出力装置であって、
　上記クライアント装置からユーザの文書出力要求を受け取る手段と、
　上記文書出力要求と共に送られてくるユーザ属性に基づいて、出力する文書に含まれる文書構成要素の識別子を決定する手段と、
　上記決定された文書構成要素の識別子に基づいて対応する文書構成要素を取りだし文書中に配置する手段と、
　上記文書構成要素が配置された文書を上記クライアント装置に出力する手段とを有することを特徴とする文書出力装置。」
の点で一致し、以下の点で相違している。
　　
［相違点１］
　本願発明の文書構成要素は、文書閲覧機能を有するクライアント装置が当該文書閲覧機能によりそのまま出力可能な、マークアップタグを用いたフォーマットで記述され、しかも表を表現する表開始タグおよび表終了タグにより文書構成要素本体を包み込んで記述したものであるのに対して、引用例１発明のコンテンツファイルは、レイアウト情報にしたがって編集されてＨＴＭＬ形式のスタートページとなる点。
　
［相違点２］
　本願発明は、有効期限内の文書構成要素を出力する文書構成要素出力手段を有するのに対して、引用例１発明は、コンテンツファイルの有効期限について記載されていない点。
　
［相違点３］
　本願発明は、文書構成要素出力手段から出力された有効期限内の文書構成要素を更新書込みする半導体メモリ手段を有しているのに対して、引用例１発明では、コンテンツファイルは外部記憶装置に格納されている点。
　
［相違点４］
　本願発明のユーザ属性は文書出力要求と共に送られてくるのに対して、引用例１発明の「ユーザ情報」を構成する「ユーザ識別子」はユーザ固有のＵＲＬから取得され、「スタートページプロフィール」はユーザ情報データベースから抽出されるものである点。
　
５．当審の判断
［相違点１］について
　ホームページ等の文書をＨＴＭＬで記述する際に、文書をページ内に表としてレイアウトすること、すなわち表としてレイアウトする文書を表開始タグおよび表終了タグにより包み込んで記述することは周知（「佐分利仁，秘伝Ｗｅｂグラフィック入門第４回，ＷｉｎＧｒａｐｈｉｃ，Vol.4，株式会社エムディエヌコーポレイション，１９９８年４月１日，第１０２−１０５頁」、「Ｗｅｂデザインテクニック第３回，インターネットＡＳＣＩＩ，第３巻第１２号，株式会社アスキー，１９９８年１２月１日，第１６８−１７０頁」参照）である。
　したがって、引用例発明のように、コンテンツファイルをレイアウト情報にしたがって編集してＨＴＭＬ形式のスタートページを作成する代わりに、表開始タグおよび表終了タグにより包み込んで記述された表を文書管理要素とすることによりマークアップ言語で記述された文書を構成するようにして、相違点１に係る構成とすることは当業者が容易に想到し得たものである。
　
［相違点２］について
 　文書やコンテンツの有効期限を管理して、有効期限内のものを出力することは周知（当審の拒絶理由通知に引用した、特開平１０−４０１４８号公報、特開平１１−２９６４２５号公報参照）であり、引用例発明のコンテンツファイルは常に内容がアップデートされるものであるから、コンテンツファイルに有効期限を設けて管理するようにして相違点１に係る構成とすることに困難性は認められない。
　
［相違点３］について
　コンテンツファイルを外部記憶装置に格納することに代えて、半導体メモリ手段に格納することにより、相違点３に係る構成とすることに困難性は認められない。
　
［相違点４］について 
 　ユーザ属性を、文書出力要求と共に送られてくる（例えばクッキー）情報から取得することは、周知（当審の拒絶理由通知に引用した、「服部彩子，お答えします，日経パソコン，第３８０号，日経ＢＰ社，２００１年３月５日，第１９０−１９１頁」、「Mai-lan Tomsen，コマースサイト設計テクニック，Microsoft Internet Developer，Vol.12，株式会社アスキー，１９９９年３月１８日，第３２−３９頁」参照）であり、相違点４に係る構成に困難性は認められない。 
　
　そして、本願発明の作用効果も、引用例に記載された発明及び周知技術から当業者が予測できる範囲のものである。
　　
６．むすび
　以上のとおり、本願発明は、引用例に記載された発明及び周知技術に基づいて、当業者が容易に発明をすることができたものであるから、特許法第２９条第２項の規定により特許を受けることができない。
　よって、結論のとおり審決する。